(57)【特許請求の範囲】
【請求項１】
ワイヤレス通信のための方法において、
第２のタイプのデバイスに対してさらに制限された通信リソースを持つ第１のタイプのデバイスに、バンドリングされた送信としてデータを送信し、前記さらに制限された通信リソースは減少した帯域幅を含み、前記バンドリングされた送信は、多数のバーストを含み、各バーストは、複数の送信時間間隔ＴＴＩに拡がり、同一のデータが、各バースト中で送信されることと、
前記バンドリングされた送信に対して、空間的ダイバーシティを増加させることとを含み、
前記空間的ダイバーシティを増加させることは、前記バンドリングされた送信中の異なるバーストが異なるプリコーディングを使用して送信されるように、プリコーディングサイクリングを適用することを含み、
前記プリコーディングサイクリングのタイプは、前記バンドリングされた送信中で送信されるチャネルのタイプに、少なくとも部分的に依存する方法。
【請求項２】
各バーストは、６個のリソースブロックＲＢを超えない狭帯域中で送信される請求項１記載の方法。
【請求項３】
同一のプリコーディングが、バースト内で使用される請求項１記載の方法。
【請求項４】
バースト長は、バースト間の少なくとも１つのＴＴＩのギャップを維持することに、少なくとも部分的に基づいている請求項１記載の方法。
【請求項５】
ワイヤレス通信のための装置において、
第２のタイプのデバイスに対してさらに制限された通信リソースを持つ第１のタイプのデバイスに、バンドリングされた送信としてデータを送信し、前記さらに制限された通信リソースは減少した帯域幅を含み、前記バンドリングされた送信は、多数のバーストを含み、各バーストは、複数の送信時間間隔ＴＴＩに拡がり、同一のデータが、各バースト中で送信される手段と、
前記バンドリングされた送信に対して、空間的ダイバーシティを増加させるための動作を行う手段とを具備し、
前記空間的ダイバーシティを増加させることは、前記バンドリングされた送信中の異なるバーストが異なるプリコーディングを使用して送信されるように、プリコーディングサイクリングを適用することを含み、
前記プリコーディングサイクリングのタイプは、前記バンドリングされた送信中で送信されるチャネルのタイプに、少なくとも部分的に依存する装置。
【請求項６】
第２のタイプのデバイスに対してさらに制限された通信リソースを持つ第１のタイプのデバイスによるワイヤレス通信のための方法において、
バンドリングされた送信に対して、空間的ダイバーシティを増加させるための構成情報を受信し、前記バンドリングされた送信は、多数のバーストを含み、各バーストは、複数の送信時間間隔ＴＴＩに拡がり、同一のデータが、各バースト中で送信されることと、
前記構成情報にしたがって、前記バンドリングされた送信を受信して処理することとを含み、
前記さらに制限された通信リソースは減少した帯域幅を含み、
前記空間的ダイバーシティを増加させるための構成情報は、前記バンドリングされた送信中の異なるバーストが異なるプリコーディングを使用して受信されるように、プリコーディングサイクリングを適用することを示す情報を含み、
前記プリコーディングサイクリングのタイプは、前記バンドリングされた送信中で受信されるチャネルのタイプに、少なくとも部分的に依存する方法。
【請求項７】
各バーストは、６個のリソースブロックＲＢを超えない狭帯域中で受信される請求項６記載の方法。
【請求項８】
同一のプリコーディングが、バースト内で使用される請求項６記載の方法。
【請求項９】
バースト長は、バースト間の少なくとも１つの送信時間間隔ＴＴＩのギャップを示す情報を含む請求項６記載の方法。
【請求項１０】
第２のタイプのデバイスに対してさらに制限された通信リソースを持つ第１のタイプのデバイスによるワイヤレス通信のための装置において、
バンドリングされた送信に対して、空間的ダイバーシティを増加させるための構成情報を受信し、前記バンドリングされた送信は、多数のバーストを含み、各バーストは、複数の送信時間間隔ＴＴＩに拡がり、同一のデータが、各バースト中で送信される手段と、
前記構成情報にしたがって、前記バンドリングされた送信を受信して処理する手段とを具備し、
前記さらに制限された通信リソースは減少した帯域幅を含み、
前記空間的ダイバーシティを増加させるための構成情報は、前記バンドリングされた送信中の異なるバーストが異なるプリコーディングを使用して受信されるように、プリコーディングサイクリングを適用することを示す情報を含み、
前記プリコーディングサイクリングのタイプは、前記バンドリングされた送信中で受信されるチャネルのタイプに、少なくとも部分的に依存する装置。
【請求項１１】
請求項１〜４または６〜９のうちの１項に記載の方法を実行するための命令を含むコンピュータプログラム。
【発明の詳細な説明】
【関連出願の相互参照】
【０００１】
[0001]  本出願は、ともに本出願の譲受人に譲渡され、また、ともに全体が参照によって本明細書に組み込まれている、２０１５年１月２１日出願の「マシン型通信（ＭＴＣ）のための空間的および周波数ダイバーシティ設計」と題された米国仮出願番号第６２／１０６，１６２号と、２０１５年６月２４日出願の「マシン型通信（ＭＴＣ）のための空間的および周波数ダイバーシティ設計」と題された米国仮出願番号第６２／１８４，１８９号とからの優先権の利益を主張する、２０１６年１月２０日に出願された米国特許出願番号第１５／００２，２０８号に対する優先権を主張する。
【発明の分野】
【０００２】
[0002]  本開示のある態様は、一般的に、ワイヤレス通信に関し、より具体的には、制限された通信リソースを持ったデバイスのためのダイバーシティを増加することに関する。
【関連技術の説明】
【０００３】
[0003]  ワイヤレス通信システムは、音声、データ、等々のような、様々なタイプの通信コンテンツを提供するために、広く展開されている。これらのシステムは、利用可能なシステムリソース（たとえば、帯域幅および送信電力）を共有することによって、多数のユーザとの通信をサポートすることが可能である多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、ロングタームエボリューション（ＬＴＥ（登録商標））アドバンスドシステムを含む第３世代パートナーシッププロジェクト（３ＧＰＰ（登録商標））ＬＴＥ、および直交周波数分割多元接続（ＯＦＤＭＡ）システムを含む。
【０００４】
[0004]  一般的に、ワイヤレス多元接続通信システムは、多数のワイヤレス端末のための通信を同時にサポートできる。各端末は、順方向および逆方向リンク上の伝送を介して、１つ以上の基地局と通信する。順方向リンク（または、ダウンリンク）は、基地局から端末への通信リンクを指し、逆方向リンク（または、アップリンク）は、端末から基地局への通信リンクを指す。この通信リンクは、単一入力単一出力、多入力単一出力、または多入力多出力（ＭＩＭＯ）システムを介して確立され得る。
【０００５】
[0005]  ワイヤレス通信ネットワークは、多数のワイヤレスデバイスのための通信をサポートすることができる、多数の基地局を含み得る。ワイヤレスデバイスは、ユーザ機器（ＵＥ）を含み得る。いくつかのＵＥは、基地局、別の遠隔デバイス、または何らかの他のエンティティと通信し得る遠隔デバイスを含み得るマシン型通信（ＭＴＣ）ＵＥと考えられ得る。マシン型通信（ＭＴＣ）は、通信の少なくとも一端における少なくとも１つの遠隔デバイスを伴う通信を指し得、人間の関与（human interaction）を必ずしも必要としない、１つ以上のエンティティを伴う、データ通信の形式を含み得る。ＭＴＣ  ＵＥは、例えば、公衆地上モバイルネットワーク（ＰＬＭＮ：Public Land Mobile Networks）を通して、ＭＴＣサーバおよび／または他のＭＴＣデバイスとＭＴＣ通信することができるＵＥを含み得る。
【概要】
【０００６】
[0006]  本開示のシステム、方法、およびデバイスは各々、いくつかの態様を有し、これらのうちのいずれも、その望ましい属性を単独で担うものではない。後続する特許請求の範囲によって表される本開示の範囲を限定することなしに、ここでいくつかの特徴が簡潔に論述される。本論述を考慮した後、特に「詳細な説明」と題されたセクションを読んだ後、当業者は、本開示の特徴が、ワイヤレスネットワークにおけるアクセスポイントと局との間での改善された通信を含む利点をどのように提供するかを理解するであろう。
【０００７】
[0007]  本明細書において、マシン型通信におけるダイバーシティを増加するための技法および装置が提供される。
【０００８】
[0008]  本開示のある態様は、送信デバイスによるワイヤレス通信のための方法を提供する。方法は、一般的に、制限された通信リソースを持った、１つのデバイスへのバンドリングされた送信としてデータを送信することを含み、バンドリングされた送信は、多数のバースト（burst）を備え、ここにおいて、各バーストは、複数の送信時間期間（ＴＴＩ）に拡がり、同一のデータが各バースト中で送信され、バンドリングされた送信について、ダイバーシティ（たとえば、空間的ダイバーシティ、時間ダイバーシティ、または周波数ダイバーシティ等の内の少なくとも１つ）を増加するための動作を行う。
【０００９】
[0009]  本開示のある態様は、送信デバイスによるワイヤレス通信のための装置を提供する。装置は、一般的に、制限された通信リソースを持ったデバイスへのバンドリングされた送信としてデータを送信するように構成された送信機を含み、バンドリングされた送信は、多数のバーストを備え、ここにおいて、各バーストは、複数の送信時間期間（ＴＴＩ）に拡がり、同一のデータが各バースト中で送信され、バンドリングされた送信について、ダイバーシティ（たとえば、空間的ダイバーシティ、時間ダイバーシティ、または周波数ダイバーシティ等の内の少なくとも１つ）を増加するための動作を行うように、少なくとも１つのプロセッサが構成される。
【００１０】
[0010]  本開示のある態様は、送信デバイスによるワイヤレス通信のための装置を提供する。装置は、一般的に、制限された通信リソースを持ったデバイスへのバンドリングされた送信としてデータを送信する手段と、バンドリングされた送信は、多数のバーストを備え、ここにおいて、各バーストは、複数の送信時間期間（ＴＴＩ）に拡がり、同一のデータが各バースト中で送信され、また、バンドリングされた送信について、ダイバーシティ（たとえば、空間的ダイバーシティ、時間ダイバーシティ、または周波数ダイバーシティ等の内の少なくとも１つ）を増加するための動作を行う手段とを含む。
【００１１】
[0011]  本開示のある態様は、送信デバイスによるワイヤレス通信のためのコンピュータ可読媒体を提供する。コンピュータ可読媒体は、一般的に、１つ以上のプロセッサによって実行されたときに、デバイスに、制限された通信リソースを持ったデバイスへのバンドリングされた送信としてデータを送信するようにさせ、バンドリングされた送信は、多数のバーストを備え、ここにおいて、各バーストは、複数の送信時間期間（ＴＴＩ）に拡がり、同一のデータが各バースト中で送信され、および、バンドリングされた送信について、ダイバーシティ（たとえば、空間的ダイバーシティ、時間ダイバーシティ、または周波数ダイバーシティ等の内の少なくとも１つ）を増加するための動作を行うようにさせるコードを含む。
【００１２】
[0012]  本開示のある態様は、制限された通信リソースを有するデバイスによるワイヤレス通信のための方法を提供する。方法は、一般的に、バンドリングされた送信について、ダイバーシティ（たとえば、空間的ダイバーシティ、時間ダイバーシティ、または周波数ダイバーシティ等の内の少なくとも１つ）を増加するための構成情報を受信することと、バンドリングされた送信は、多数のバーストを備え、ここにおいて、同一のデータが各バースト中で送信され、構成情報に従って、バンドリングされた送信は受信され、処理されることとを含む。
【００１３】
[0013]  本開示のある態様は、制限された通信リソースを有するデバイスによるワイヤレス通信のための装置を提供する。装置は、一般的に、バンドリングされた送信について、ダイバーシティ（たとえば、空間的ダイバーシティ、時間ダイバーシティ、または周波数ダイバーシティ等の内の少なくとも１つ）を増加するための構成情報を受信し、バンドリングされた送信は、多数のバーストを備え、ここにおいて、同一のデータが各バースト中で送信され、バンドリングされた送信を受信するように構成された受信機と、および、構成情報に従って、バンドリングされた送信を処理するように構成された、少なくとも１つのプロセッサとを含む。
【００１４】
[0014]  本開示のある態様は、制限された通信リソースを有するデバイスによるワイヤレス通信のための装置を提供する。装置は、一般的に、バンドリングされた送信について、ダイバーシティ（たとえば、空間的ダイバーシティ、時間ダイバーシティ、または周波数ダイバーシティ等の内の少なくとも１つ）を増加するための構成情報を受信する手段と、バンドリングされた送信は、多数のバーストを備え、ここにおいて、同一のデータが各バースト中で送信され、および、構成情報に従って、バンドリングされた送信を受信し、処理する手段とを含む。
【００１５】
[0015]  本開示のある態様は、制限された通信リソースを有するデバイスによるワイヤレス通信のためのコンピュータ可読媒体を提供する。コンピュータ可読媒体は、一般的に、１つ以上のプロセッサによって実行されたときに、デバイスに、バンドリングされた送信について、ダイバーシティ（たとえば、空間的ダイバーシティ、時間ダイバーシティ、または周波数ダイバーシティ等の内の少なくとも１つ）を増加するための構成情報を受信するようにさせ、バンドリングされた送信は、多数のバーストを備え、ここにおいて、同一のデータが各バースト中で送信され、および、構成情報に従って、バンドリングされた送信を受信し、処理するようにさせるコードを含む。
【００１６】
[0016]  方法、装置、システム、コンピュータプログラム製品、コンピュータ可読媒体、および処理システムを含む、数多くの他の態様が提供される。
【図面の簡単な説明】
【００１７】
[0017]  本開示の上記特徴を詳細に理解できるように、上で簡潔に要約されたより具体的な説明が、態様を参照して行われることができ、そのいくつかは添付の図面に例証されている。しかしながら、添付された図面は、本開示のある典型的な態様のみを例証しており、それゆえ、その説明が他の同等に効果的な態様を認め得ることから、その範囲を限定していると考慮されるべきではないことに留意されたい。
【図１】[0018]  図１は、本開示のある態様に従った、例となるワイヤレス通信ネットワークを概念的に例証するブロック図である。
【図２】[0019]  図２は、本開示のある態様に従った、ワイヤレス通信ネットワーク内のユーザ機器（ＵＥ）と通信する発展型ノードＢ（ｅＮＢ）の例を、概念的に例証するブロック図である。
【図３】[0020]  図３は、本開示のある態様に従った、ワイヤレス通信ネットワークで用いる特定の無線アクセス技術（ＲＡＴ）のための、例となるフレーム構造を概念的に例証するブロック図である。
【図４】[0021]  図４は、本開示のある態様に従った、通常のサイクリックプレフィックスを持った、ダウンリンクのための、例となるサブフレームフォーマットを例証する図である。
【図５】[0022]  図５は、本開示のある態様に従った、送信デバイスのための、例となる動作を例証する図である。
【図６】[0023]  図６は、本開示のある態様に従った、受信デバイスのための、例となる動作を例証する図である。
【図７】[0024]  図７は、本開示のある態様に従った、多数のデバイスによって実行され得る送信の例を例証する図である。
【図８】[0025]  図８は、本開示のある態様に従った、周波数ホッピングを使用して、ｅＮＢおよびＵＥ間でやり取りし得るメッセージを例証する、例となるコールフロー図を例証する図である。
【図９】[0026]  図９は、本開示のある態様に従った、プリコーダサイクリング（precoder cycling）を使用して、ｅＮＢおよびＵＥ間でやり取りし得るメッセージを例証する、例となるコールフロー図を例証する図である。
【図１０】[0027]  図１０は、本開示のある態様に従った、リソースエレメント毎のベースでの例となるプリコーダサイクリングを例証する図である。
【図１１】[0028]  図１１は、本開示のある態様に従った、リソースエレメント毎のベースでの例となるプリコーダサイクリングを例証する図である。
【図１２】[0029]  図１２は、本開示のある態様に従った、一緒に多重化され得る、多数のデバイスからの送信の例を例証する図である。
【発明の詳細な説明】
【００１８】
[0030]  本開示の態様は、あるユーザ機器（たとえば、低コスト、低データレートのＵＥ）のためにダウンリンクカバレッジを強化するための技法および装置を提供する。
【００１９】
[0031]本明細書で説明される技術は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一キャリアＦＤＭＡ（ＳＣ−ＦＤＭＡ）ネットワーク等のような、様々なワイヤレス通信ネットワークに対して使用され得る。用語「ネットワーク」および「システム」は、しばしば、交換可能に使用される。ＣＤＭＡネットワークは、ユニバーサル地上無線アクセス（ＵＴＲＡ）、ｃｄｍａ２０００、等のような無線技術を実装し得る。ＵＴＲＡは、広帯域ＣＤＭＡ（Ｗ−ＣＤＭＡ（登録商標））、時分割同期ＣＤＭＡ（ＴＤ−ＳＣＤＭＡ）、およびＣＤＭＡの他の変形を含む。ｃｄｍａ２０００は、ＩＳ−２０００、ＩＳ−９５、およびＩＳ−８５６規格をカバーする。ＴＤＭＡネットワークは、移動体通信のための全世界システム（ＧＳＭ（登録商標））のような無線技術を実装し得る。ＯＦＤＭＡネットワークは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）、等のような無線技術を実装し得る。ＵＴＲＡおよびＥ−ＵＴＲＡは、ユニバーサルモバイル電気通信システム（ＵＭＴＳ）の一部である。周波数分割複信（ＦＤＤ）および時分割複信（ＴＤＤ）の両方における、３ＧＰＰロングタームエボリューション（ＬＴＥ）およびＬＴＥアドバンスト（ＬＴＥ−Ａ）は、ダウンリンク上でＯＦＤＭＡを用い、アップリンク上でＳＣ−ＦＤＭＡを用いる、Ｅ−ＵＴＲＡを使用するＵＭＴＳの新規のリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称される団体からの文書に説明されている。ｃｄｍａ２０００およびＵＭＢは、「第３世代パートナーシッププロジェクト２（３ＧＰＰ２）」という名称の団体からの文書に記載されている。本明細書において説明される技法は、上述されたワイヤレスネットワークおよび無線技術ならびに他のワイヤレスネットワークおよび無線技術に対して使用され得る。明瞭さのために、これらの技法のある態様は、以下ではＬＴＥ／ＬＴＥ−Ａについて説明されており、ＬＴＥ／ＬＴＥ−Ａ専門用語が下記説明の大部分で使用される。
【００２０】
[0032]  図１は、ＬＴＥネットワーク、または何か他のワイヤレスネットワークであり得るワイヤレス通信ネットワーク１００を指し示す。ワイヤレスネットワーク１００は、多数の発展型ノードＢ（ｅＮＢ）１１０および他のネットワークエンティティを含み得る。ｅＮＢは、ユーザ機器（ＵＥ）と通信するエンティティであり、基地局、ノードＢ、アクセスポイント（ＡＰ）、等とも呼ばれ得る。各ｅＮＢは、特定の地理的エリアのための通信カバレッジを提供し得る。３ＧＰＰでは、用語「セル」は、この用語が使用される文脈に依って、ｅＮＢのカバレッジエリアおよび／またはこのカバレッジエリアにサービス提供するｅＮＢサブシステムを指すことができる。
【００２１】
[0033]  ｅＮＢは、マクロセル、ピコセル、フェムトセル、および／または他のタイプのセルに対して、通信カバレッジを提供し得る。マクロセルは、比較的大きい地理的エリア（たとえば、半径数キロメートル）をカバーし得、サービスに加入しているＵＥによる無制限のアクセスを可能にし得る。ピコセルは、比較的小さい地理的エリアをカバーし得、サービスに加入しているＵＥによる無制限のアクセスを可能にし得る。フェムトセルは、比較的小さい地理的エリア（たとえば、家）をカバーし、このフェムトセルと関連性のあるＵＥ（たとえば、クローズド加入者グループ（ＣＳＧ）におけるＵＥ）による制限されたアクセスを可能にし得る。マクロセルのためのｅＮＢは、マクロｅＮＢと呼ばれ得る。ピコセルのためのｅＮＢは、ピコｅＮＢと呼ばれ得る。フェムトセルのためのｅＮＢは、フェムトｅＮＢまたはホームｅＮＢ（ＨｅＮＢ）と呼ばれ得る。図１において差し示される例において、ｅＮＢ１１０ａは、マクロセル１０２ａのためのマクロｅＮＢであり得、ｅＮＢ１１０ｂは、ピコセル１０２ｂのためのピコｅＮＢであり得、ｅＮＢ１１０ｃは、フェムトセル１０２ｃのためのフェムトｅＮＢであり得る。ｅＮＢは、１つまたは多数（たとえば、３つ）のセルをサポートし得る。用語「ｅＮＢ」、「基地局」、および「セル」は、本明細書では、交換可能に使用され得る。
【００２２】
[0034]  ワイヤレスネットワーク１００はまた、中継局（relay station）を含み得る。中継局は、アップストリーム局（たとえば、ｅＮＢまたはＵＥ）からのデータの送信を受信し、ダウンストリーム局（たとえば、ＵＥまたはｅＮＢ）へのデータの送信を送ることができるエンティティである。中継局はまた、他のＵＥのための送信を中継することができるＵＥであり得る。図１に指し示される例において、中継局１１０ｄは、ｅＮＢ１１０ａおよびＵＥ１２０ｄ間の通信を容易にするために、マクロｅＮＢ１１０ａおよびＵＥ  １２０ｄと通信し得る。中継局はまた、中継ｅＮＢ、中継基地局、リレー等とも呼ばれ得る。
【００２３】
[0035]  ワイヤレスネットワーク１００は、異なるタイプのｅＮＢ、たとえば、マクロｅＮＢ、ピコｅＮＢ、フェムトｅＮＢ、中継ｅＮＢ等を含む異種ネットワークであり得る。これらの異なるタイプのｅＮＢは、無線ネットワーク１００において、異なる送信電力レベル、異なるカバレッジエリア、干渉に対する異なる影響力を有し得る。例えば、マクロｅＮＢが、高い送信電力レベル（たとえば、５〜４０Ｗ）を有し得るのに対して、ピコｅＮＢ、フェムトｅＮＢ、および中継ｅＮＢは、より低い送信電力レベル（たとえば、０．１〜２Ｗ）を有し得る。
【００２４】
[0036]  ネットワークコントローラ１３０は、ｅＮＢのセットに結合され得、これらｅＮＢのための協調と制御を提供し得る。ネットワークコントローラ１３０は、バックホールを介してｅＮＢと通信し得る。ｅＮＢはまた、たとえば、直接的に、あるいは、ワイヤレスまたはワイヤーラインバックホールを介して間接的に、互いに通信し得る。
【００２５】
[0037]  ＵＥ  １２０（たとえば、１２０ａ、１２０ｂ、１２０ｃ）は、ワイヤレスネットワーク１００にわたって分散し得、各ＵＥはまた、固定式または移動式であり得る。ＵＥはまた、アクセス端末、端末、移動局（ＭＳ）、加入者ユニット、局（ＳＴＡ）、等と呼ばれ得る。ＵＥは、セルラー電話、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、スマートフォン、ネットブック、スマートブック、ウェアラブルデバイス（たとえば、スマートグラス、スマートリング、スマートブレスレット、スマートリストバンド、スマート衣類）、ヘルスケア／医療デバイス、乗り物デバイス、等であり得る。ＵＥは、センサ、メータ、モニター、位置タグ、ドローン、トラッカー、ロボット、等のようなＭＴＣ  ＵＥを含む。ＭＴＣ  ＵＥや他のタイプのＵＥはＮＢ−ＩｏＴ（事物の狭帯域インターネット）デバイスとして実装され得る。ＭＴＣデバイスのような、あるデバイスのカバレッジを拡張するために、「バンドリング（bundling）」が利用され得、例えば、複数のサブフレームにわたって送信される同一の情報を有する、ある送信が送信のバンドルとして送られる。
【００２６】
[0038]  図２は、図１における基地局／ｅＮＢの内の１つおよびＵＥの内の１つであり得る、基地局／ｅＮＢ１１０およびＵＥ１２０の設計のブロック図である。基地局１１０は、Ｔ個のアンテナ２３４ａ〜２３４ｔが装備され得、ＵＥ１２０は、Ｒ個のアンテナ２５２ａ〜２５２ｒが装備され得、ここで、一般に、Ｔ≧１およびＲ≧１である。
【００２７】
[0039]  基地局１１０において、送信プロセッサ２２０は、１つ以上のＵＥのために、データソース２１２からデータを受信し、ＵＥから受信されたチャネル品質インジケータ（ＣＱＩ）に基づいて、各ＵＥのための１つ以上の変調およびコーディングスキーム（ＭＣＳ）を選択し、ＵＥのために選択されたＭＣＳに基づいて、各ＵＥのためのデータを処理（たとえば、符号化および変調）し、全てのＵＥに対してデータシンボルを提供し得る。送信プロセッサ２２０はまた、システム情報（たとえば、準静的リソース分割情報（ＳＲＰＩ）、等）および制御情報（たとえば、ＣＱＩ要求、グラント（grant）、上位層シグナリング、等）を処理し、オーバーヘッドシンボルおよび制御シンボルを提供し得る。プロセッサ２２０はまた、基準信号（たとえば、共通基準信号（ＣＲＳ））および同期信号（たとえば、プライマリ同期信号（ＰＳＳ）およびセカンダリ同期信号（ＳＳＳ））のための基準シンボルを生成し得る。送信（ＴＸ）多入力多出力（ＭＩＭＯ）プロセッサ２３０は、適用できる場合、データシンボル、制御シンボル、オーバーヘッドシンボル、および／または、基準シンボルに対して空間的処理（たとえば、プリコーディング）を実行し得、Ｔ個の出力シンボルストリームを、Ｔ個の変調器（ＭＯＤ）２３２ａ〜２３２ｔに提供し得る。各変調器２３２は、出力サンプルストリームを取得するために（たとえば、ＯＦＤＭ等のために）、それぞれの出力シンボルストリームを処理し得る。各変調器２３２はさらに、ダウンリンク信号を取得するために、出力サンプルストリームを処理（たとえば、アナログ変換、増幅、フィルタリング、およびアップコンバート）し得る。変調器２３２ａ〜２３２ｔからのＴ個のダウンリンク信号は、それぞれ、Ｔ個のアンテナ２３４ａ〜２３４ｔを介して送信され得る。
【００２８】
[0040]  ＵＥ１２０において、アンテナ２５２ａ〜２５２ｒは、基地局１１０および／または他の基地局からダウンリンク信号を受信し得、それぞれ、復調器（ＤＥＭＯＤ）２５４ａ〜２５４ｒに、受信された信号を提供し得る。各復調器２５４は、入力サンプルを取得するために、その受信された信号を調整（たとえば、フィルタリング、増幅、ダウンコンバート、およびデジタル化）し得る。各復調器２５４は、受信されたシンボルを取得するために、（たとえば、ＯＦＤＭ等に対して）入力サンプルをさらに処理し得る。ＭＩＭＯ検出器２５６は、全てのＲ個の復調器２５４ａ〜２５４ｒから、受信されたシンボルを取得し、適用できる場合、受信されたシンボルに対してＭＩＭＯ検出を実行し、検出されたシンボルを提供し得る。受信プロセッサ２５８は、検出されたシンボルを処理（たとえば、復調、および復号）し、ＵＥ１２０のための復号されたデータをデータシンク２６０に提供し、復号された制御情報およびシステム情報を、コントローラ／プロセッサ２８０に提供し得る。チャネルプロセッサは、基準信号受信電力（ＲＳＲＰ）、受信信号強度インジケータ（ＲＳＳＩ）、基準信号受信品質（ＲＳＲＱ）、ＣＱＩ、等を決定し得る。
【００２９】
[0041]  アップリンク上で、ＵＥ１２０において、送信プロセッサ２６４は、データソース２６２からのデータ、およびコントローラ／プロセッサ２８０からの（たとえば、ＲＳＲＰ、ＲＳＳＩ、ＲＳＲＱ、ＣＱＩ等を備える報告のための）制御情報を受信し、処理し得る。プロセッサ２６４はまた、１つ以上の基準信号のための基準シンボルを生成し得る。送信プロセッサ２６４からのシンボルは、適用できる場合、ＴＸ  ＭＩＭＯプロセッサ２６６によってプリコーディングされ、（たとえば、ＳＣ−ＦＤＭ、ＯＦＤＭ等のための）変調器２５４ａ〜２５４ｒによってさらに処理され、基地局１１０に送信され得る。ＵＥ１２０によって送られた復号されたデータおよび制御情報を取得するために、基地局１１０において、ＵＥ１２０および他のＵＥからのアップリンク信号は、アンテナ２３４によって受信され、復調器２３２によって処理され、適用できる場合、ＭＩＭＯ検出器２３６によって検出され、さらに受信プロセッサ２３８によって処理され得る。プロセッサ２３８は、復号されたデータをデータシンク２３９に、そして、復号された制御情報をコントローラ／プロセッサ２４０に提供し得る。基地局１１０は、通信ユニット２４４を含み、通信ユニット２４４を介してネットワークコントローラ１３０に通信し得る。ネットワークコントローラ１３０は、通信ユニット２９４、コントローラ／プロセッサ２９０、およびメモリ２９２を含み得る。
【００３０】
[0042]  コントローラ／プロセッサ２４０および２８０は、基地局１１０およびＵＥ１２０において、それぞれ、動作を指示し得る。基地局１１０におけるプロセッサ２４０および／または他のプロセッサおよびモジュール、および／またはＵＥ１２０におけるプロセッサ２８０および／または他のプロセッサおよびモジュールは、本明細書で説明される技法についての処理（たとえば、図５および６に関する動作）を行うか、または指示し得る。メモリ２４２および２８２は、基地局１１０およびＵＥ１２０のそれぞれのためのデータおよびプログラムコードを記憶し得る。スケジューラ２４６は、ダウンリンクおよび／またはアップリンク上でのデータ送信のために、ＵＥをスケジューリングし得る。
【００３１】
[0043]  ＵＥ１２０にデータを送信するとき、基地局１１０は、データ割り振りサイズに少なくとも部分的に基づいて、バンドリングサイズ（bundling size）を決定し、決定されたバンドリングサイズのバンドリングされた隣接したリソースブロック内のデータをプリコーディングするように構成され得、ここで、各バンドル（bundle）内のリソースブロックは、共通プリコーディング行列でプリコーディングされ得る。すなわち、リソースブロック内のＵＥ−ＲＳのような基準信号（ＲＳ）および／またはデータは、同一のプリコーダを使用してプリコーディングされ得る。バンドリングされたリソースブロック（ＲＢ）の各ＲＢ内のＵＥ−ＲＳに対して使用される電力レベルも同一であり得る。
【００３２】
[0044]  ＵＥ１２０は、基地局１１０から送信されたデータを復号するために、相補的処理を実行するように構成され得る。例えば、ＵＥ１２０は、隣接したＲＢからなるバンドルにおいて、基地局から送信された受信データのデータ割り振りサイズに基づいて、バンドリングサイズを決定し得、ここにおいて、各バンドル内のリソースブロックにおける少なくとも１つの基準信号は、共通プリコーディング行列でプリコーディングされ、決定されたバンドリングサイズおよび基地局から送信された１つ以上のＲＳに基づいて、少なくとも１つのプリコーディングされたチャネルを推定し、この推定されたプリコードディングされたチャネルを使用して、受信されたバンドルを復号するように構成され得る。
【００３３】
[0045]  図３は、ＬＴＥにおけるＦＤＤのための、例示的なフレーム構造３００を指し示す。ダウンリンクおよびアップリンクの各々についての送信タイムラインは、無線フレームの単位に分割され得る。各無線フレームは、所定の持続時間（たとえば、１０ミリ秒（ｍｓ））を有することができ、０乃至９のインデックスを持つ１０個のサブフレームに分割され得る。各サブフレームは、２つのスロットを含み得る。よって、各無線フレームは、０乃至１９のインデックスを有する２０個のスロットを含み得る。各スロットは、Ｌ個のシンボル期間、たとえば、（図２中に差し示すように）通常のサイクリックプリフィックスについて、７個のシンボル期間、または拡張されたサイクリックプリフィックスについて、６個のシンボル期間を含み得る。各サブフレーム中の２Ｌ個のシンボル期間は、０乃至２Ｌ−１のインデックスを割り当てられ得る。
【００３４】
[0046]  ＬＴＥにおいて、ｅＮＢは、ｅＮＢによってサポートされる各セルのためのシステム帯域幅の中心１．０８ＭＨｚのダウンリンク上で、プライマリ同期信号（ＰＳＳ）およびセカンダリ同期信号（ＳＳＳ）を送信し得る。ＰＳＳおよびＳＳＳは、それぞれ、図３で差し示されるように、通常のサイクリックプレフィックスを持った各無線フレームのサブフレーム０および５において、シンボル期間６および５で送信され得る。ＰＳＳおよびＳＳＳは、セルの探索および捕捉（acquisition）のために、ＵＥによって使用され得る。ｅＮＢは、ｅＮＢによってサポートされる各セルについて、システム帯域幅にわたって、セル固有基準信号（ＣＲＳ）を送信し得る。ＣＲＳは、各サブフレームの、あるシンボル期間で送信され得、ＵＥによって、チャネル推定、チャネル品質測定、および／または他の機能を実行するために使用され得る。ｅＮＢはまた、ある無線フレームのスロット１におけるシンボル期間０から３で、物理ブロードキャストチャネル（ＰＢＣＨ：Physical Broadcast Channel）を送信し得る。ＰＢＣＨは、いくつかのシステム情報を搬送し得る。ｅＮＢは、あるサブフレームにおける物理ダウンリンク共有チャネル（ＰＤＳＣＨ）上で、システム情報ブロック（ＳＩＢ）のような他のシステム情報を送信し得る。ｅＮＢは、サブフレームの最初のＢ個のシンボル期間における物理ダウンリンク制御チャネル（ＰＤＣＣＨ）で制御情報／データを送信し得、ここで、Ｂは、各サブフレームに対して設定可能であり得る。ｅＮＢは、各サブフレームの残存シンボル期間におけるＰＤＳＣＨ上で、トラフィックデータおよび／または他のデータを送信し得る。
【００３５】
[0047]  ＬＴＥにおけるＰＳＳ、ＳＳＳ、ＣＲＳ、およびＰＢＣＨは、「発展型ユニバーサル地上無線アクセス（Ｅ−ＵＴＲＡ）；物理チャネルおよび変調（Evolved Universal Terrestrial Radio Access (E-UTRA）；Physical Channels and Modulation）」と題する、３ＧＰＰ  ＴＳ  ３６．２１１で説明されており、これは公に入手可能である。
【００３６】
[0048]  図４は、通常のサイクリックプレフィックスを持った、ダウンリンクのための２つの例となるサブフレームフォーマット４１０および４２０を指し示す。ダウンリンクのための利用可能な時間周波数リソースは、リソースブロックに分割され得る。各リソースブロックは、１つのスロットにおいて１２個のサブキャリアをカバーし得、多数のリソースエレメントを含み得る。各リソースエレメントは、１つのシンボル期間において１つのサブキャリアをカバーし得、１つの変調シンボルを送るために使用され得、それは、実値または複素値であり得る。
【００３７】
[0049]  サブフレームフォーマット４１０は、２つのアンテナを装備したｅＮＢに対して使用され得る。ＣＲＳは、シンボル期間０、４、７、および１１において、アンテナ０および１から送信され得る。基準信号は、送信機および受信機によってアプリオリに知られている信号であり、パイロットとも称され得る。ＣＲＳは、たとえば、セル識別子（ＩＤ）に基づいて生成される、セルに特有の基準信号である。図４において、Ｒａとラベル表示される所与のリソースエレメントについて、変調シンボルは、アンテナａからそのリソースエレメント上で送信され得、また、何れの変調シンボルも、他のアンテナからは、そのリソースエレメント上で送信され得ない。サブフレームフォーマット４２０は、４つのアンテナを装備したｅＮＢに対して使用され得る。ＣＲＳは、シンボル期間０、４、７および１１においては、アンテナ０および１から、また、シンボル期間１および８においては、アンテナ２および３から、送信され得る。両方のサブフレームフォーマット４１０および４２０について、セルＩＤに基づいて決定され得るＣＲＳは、等しい間隔を置かれたサブキャリアで送信され得る。異なるｅＮＢは、それらのＣＲＳを、それらのセルＩＤに依存して、同一または異なるサブキャリア上で送信し得る。両方のサブフレームフォーマット４１０および４２０について、ＣＲＳのために使用されないリソースエレメントは、データ（たとえば、トラフィックデータ、制御データ、および／またはその他のデータ）を送信するために使用され得る。
【００３８】
[0050]  インタレース構造は、ＬＴＥにおけるＦＤＤのためのダウンリンクおよびアップリンクの各々に対して使用され得る。例えば、０乃至Ｑ−１のインデックスを持ったＱ個のインタレースが定義され得、ここで、Ｑは４、６、８、１０、または何らかの他の値と等しくあり得る。各インタレースは、Ｑ個のフレームだけ離れた間隔で置かれたサブフレームを含み得る。特に、インタレースｑは、サブフレームｑ、ｑ＋Ｑ、ｑ＋２Ｑ、等を含むことができ、ここで、ｑ∈｛０，．．．，Ｑ−１｝である。
【００３９】
[0051]  ワイヤレスネットワークは、ダウンリンクおよびアップリンク上でのデータ送信に関するハイブリッド自動再送要求（ＨＡＲＱ）をサポートし得る。ＨＡＲＱについて、送信機（たとえば、ｅＮＢ１１０）は、パケットが受信機（たとえば、ＵＥ１２０）によって正確に復号されるかまたは何らかの他の終了条件に遭遇するまで、パケットの１つ以上の送信を送り得る。同期ＨＡＲＱについて、パケットの全ての送信は、単一のインタレースのサブフレームで送られ得る。同期ＨＡＲＱについて、パケットの各送信は、任意のサブフレームで送られ得る。
【００４０】
[0052]  １つのＵＥは、多数のｅＮＢのカバレッジ内に置かれ得る。これらのｅＮＢの内の１つは、ＵＥにサービングするように選択され得る。サービングｅＮＢは、受信信号強度、受信信号品質、パスロス、等のような様々な基準に基づいて選択され得る。受信信号品質は、信号対干渉および雑音比（ＳＩＮＲ）、または、基準信号受信品質（ＲＳＲＱ）、あるいは何らかの他のメトリックスによって定量化され得る。ＵＥは、ＵＥが１つ以上の干渉するｅＮＢから高い干渉を観測し得る、支配的な干渉シナリオにおいて動作し得る。
【００４１】
[0053]  あるシステム（たとえば、ロングタームエボリューション（ＬＴＥ）リリース８または、より最近）において、送信時間間隔（ＴＴＩ）バンドリング（たとえば、サブフレームバンドリング）は、ユーザ機器（ＵＥ）毎のベースで構成され得る。ＴＴＩバンドリングは、上位レイヤから提供されるパラメータｔｔｉＢｕｎｄｌｉｎｇによって構成され得る。ＵＥについてＴＴＩバンドリング（ＴＴＩ  bundling）が構成されている場合、サブフレームバンドリング動作は、アップリンク共有チャネル（ＵＬ−ＳＣＨ）、例えば物理アップリンク共有チャネル（ＰＵＳＣＨ）に対してのみ適用され得、（たとえば、アップリンク制御情報（ＵＣＩ）のような）他のアップリンク信号またはトラフィックに対しては適用されない。いくつかのケースにおいて、ＴＴＩバンドリングサイズは、４個のサブフレームに固定される（たとえば、ＰＵＳＣＨは、４個の連続するサブフレームで送信される）。同一のハイブリッド自動再送要求（ＨＡＲＱ）処理数は、バンドリングされたサブフレームの各々において使用され得る。リソース割り振りサイズは、３個までのリソースブロック（ＲＢ）に制限され得、変調次数は、２に設定され得る（たとえば、直交位相偏移キーイング（ＱＰＳＫ））。ＴＴＩバンドルは、例えば、単一の許可および単一のＨＡＲＱ肯定応答（ＡＣＫ）が、各バンドルに対して使用される、単一のリソースとして取り扱われ得る。
【００４２】
[0054]  マシン型通信（ＭＴＣ）デバイスのような、制限された通信リソースを有するデバイスは、制限されたダイバーシティを有し得る。例えば、制限された通信リソースを有するデバイスは、単一の受信機を有し得、これは、空間的ダイバーシティを制限し得る。これらのデバイスはまた、制限された移動度、または無移動度を有し得、これは時間ダイバーシティを制限し得る。追加的に、これらのデバイスは、（たとえば、６個のリソースブロックを超えない）狭帯域割り当てに制限され得、これは、周波数ダイバーシティを制限し得る。
【００４３】
[0055]  単一の受信機を持ったデバイスについて、成功する通信は、信号対雑音比（ＳＮＲ）要件の増加を要請し得る。リンクバジェット制限デバイスについて、成功する通信のためのＳＮＲ要件の増加は、大きなバンドリングサイズの使用を必然的に伴い得る。
【００４４】
[0056]  ダイバーシティを増加させることは、通信の信頼性を増加させ得る。本開示の態様は、制限された通信リソースを持ったデバイスについての周波数ダイバーシティ、空間的ダイバーシティ、および時間ダイバーシティを増加させるための技法を提供する。
【００４５】
[0057]  図５は、本開示の態様に従って、デバイス（たとえば、制限された通信リソースを持ったデバイス（たとえば、ＭＴＣデバイス、ＮＢ−ＩｏＴデバイス））への送信についてダイバーシティを増加させるために、送信デバイスによって実行され得る、例となる動作５００を例証する。動作５００は、５０２において始まり得、ここで、送信デバイスは、制限された通信リソースを持つデバイスへのバンドリングされた送信としてデータを送信する。バンドリングされた送信は、多数のバーストを備え得、同一のデータが各バースト中で送信され得る。５０４において、バンドリングされた送信について、送信デバイスは、空間的ダイバーシティ、時間ダイバーシティ、または周波数ダイバーシティの内の少なくとも１つを増加する。
【００４６】
[0058]  図６は、本開示の態様に従った、受信デバイス（たとえば、制限された通信リソースを持ったデバイス（たとえば、ＭＴＣデバイス、ＮＢ−ＩｏＴデバイス））によって実行され得る、例となる動作６００を例証する。動作６００は、６０２において始まり得、ここで、受信デバイスは、バンドリングされた送信について、空間的ダイバーシティ、時間ダイバーシティ、または周波数ダイバーシティの内の少なくとも１つを増加するための構成情報を受信する。バンドリングされた送信は、多数のバーストを備え得、同一のデータが各バースト中で送信され得る。６０４において、受信デバイスは、構成情報に従って、バンドリングされた送信を受信し、処理し得る。
【００４７】
[0059]  いくつかの態様において、周波数ダイバーシティの増加は、周波数ホッピングを実行すること、または異なる周波数リソース（たとえば、異なる６ＲＢの狭帯域）を使用して同一のデバイスにデータを送信することによって実現され得る。バーストは、十分なチャネル推定平均化が可能なように大きさ調整され得、および、周波数再調節および／または時間ダイバーシティが十分に可能な持続時間を有するギャップが、バースト間に導入され得る。以下に論述されるように、異なるＭＴＣデバイスに対する通信のために、異なる周波数ホッピングパターンが使用され得る。
【００４８】
[0060]  図７は、本開示の態様に従って、制限された通信リソースを持ったデバイスについて、周波数ダイバーシティが実現され得る、例となる通信を例証する。例証されるように、ＭＴＣデバイスが通信する周波数は、定期的に変化し得る。例えば、ＭＴＣ１およびＭＴＣ２のための通信によって例証されるように、バーストは、交互周波数（２つの帯域間の対のホッピングを使用する周波数ホッピングパターン）で送信され得る。例証されるように、ＭＴＣ１は、周波数帯域７０４上でバースト１を受信し得、ＭＴＣ２は、周波数帯域７１０上でバースト１を受信し得る。ＭＴＣ１およびＭＴＣ２が、適切な周波数帯域に再調節することを可能とする（たとえば、少なくとも１個のＴＴＩの）バーストギャップ後に、ＭＴＣ１は、周波数帯域７１０上でバースト２を受信し得、ＭＴＣ２は、周波数帯域７０４上でバースト２を受信し得る。バースト３およびバースト４で例証されるように、ＭＴＣ１およびＭＴＣ２は、周波数帯域７０４上の送信と、周波数帯域７１０上の送信との間で、ホッピングを継続し得る。
【００４９】
[0061]  いくつかの態様において、ＭＴＣ３についての送信によって例証されるように、バーストは、交互周波数上で送信される必要はなく、これは最大のダイバーシティを可能とし得る。ＭＴＣ３についての送信によって例証されるように、バーストは、例えば、４個の異なる狭帯域上で送信され得る。例証されるように、ＭＴＣ３は、周波数帯域７１２上でバースト１を、周波数帯域７０８上でバースト２を、周波数帯域７０６上でバースト３を、および周波数帯域７０２上でバースト４を受信し得る。いくつかの態様において、バーストは、４ミリ秒または８ミリ秒の持続時間を有し得、ギャップ持続時間は、１ミリ秒または４ミリ秒であり得る。
【００５０】
[0062]  いくつかの態様において、対のホッピングで使用される狭帯域は、各ＭＴＣデバイス（たとえば、ＭＴＣ１およびＭＴＣ２）に関連する識別子に基づいて決定され得る。周波数ホッピングはまた、セルＩＤの関数として実行され得、これは、セル間干渉のランダム化を可能とし得る。
【００５１】
[0063]  図８は、本開示の態様に従って、ｅＮｏｄｅＢおよびＭＴＣデバイス間でやり取りされ得るメッセージを指し示す、例となるコールフロー８００を例証する。ｅＮｏｄｅＢは、制限された通信リソースを持ったデバイスについて、周波数ダイバーシティを実現するために、周波数ホッピングを実行し得る。
【００５２】
[0064]  ｅＮｏｄｅＢは、第１の周波数帯域上で、バースト送信８０２を実行し得る。上記で論述されたように、バースト送信は、十分なチャネル推定平均化が可能なように大きさ調整（たとえば、４ミリ秒または８ミリ秒バースト）され得る。ｅＮｏｄｅＢがバースト送信８０２を実行した後、ｅＮｏｄｅＢは、ＭＴＣデバイスが、ＭＴＣデバイスにおける受信機を、第２の周波数帯域に再調節することが可能なように、送信を一時休止する。一方、ｅＮｏｄｅＢは、ＭＴＣデバイスへの別のバースト送信を実行するために、送信機を、第２の周波数帯域にシフトする。一時休止は、例えば、４ミリ秒バーストに対しては持続時間１ミリ秒、または８ミリ秒バーストに対しては持続時間４ミリ秒であり得る。一時休止持続時間が経過後、ｅＮｏｄｅＢは、第２の周波数帯域上で、バースト送信８０４を実行する。異なる周波数（たとえば、狭帯域）上で、バーストをＭＴＣデバイスに送信することによって、ＵＥは、制限された通信リソースを持ったデバイスに対する周波数ダイバーシティを実現できる。
【００５３】
[0065]  いくつかの態様において、空間的ダイバーシティを増加させることを通して、増加したダイバーシティが実現され得る。空間的ダイバーシティは、例えば、異なるバーストを横切るプリコーディングサイクリング、空間周波数ブロックコーディング（ＳＦＢＣ）、または巡回遅延ダイバーシティ（ＣＤＤ）を使用して実現され得る。拡張された、または発展型物理ダウンリンク制御チャネル（ｅＰＤＣＣＨ）上での送信に対し、異なるバーストを横切って、プリコーディングサイクリングが適用され得る。チャネル平均化を可能とするように、同一のプリコーディングが、バースト内で使用でき得る。送信に適用されるプリコーディングサイクリングのタイプは、バンドリングされた送信において送信されるチャネルのタイプに、少なくとも部分的に基づき得る。空間的ダイバーシティを実現するために、拡張された、または発展型物理ダウンリンク共有チャネル（ｅＰＤＳＣＨ）上での送信に対し、プリコーディングサイクリング、ＳＦＢＣ、またはＣＤＤが適用でき得る。ＳＦＢＣが使用される場合、対のリソースエレメントが必要であろう。異なるバーストをデコードするために、より大きな遅れのＣＤＤについて、プリコーディングコードブックの知識が必要であろう。
【００５４】
[0066]  図９は、本開示の態様に従って、ｅＮｏｄｅＢおよびＭＴＣデバイス間でやり取りされ得るメッセージを指し示す、例となるコールフロー９００を例証する。上記で論述されたように、ｅＮｏｄｅＢは、制限された通信リソースを持ったデバイスについて、空間的ダイバーシティを実現するために、プリコーディングサイクリングを使用でき得る。
【００５５】
[0067]  ｅＮｏｄｅＢは、第１のプリコーディング（たとえば、第１のプリコーディング行列）を使用して、バースト送信９０２を実行し得る。上記で論述されたように、バースト送信は、十分なチャネル推定平均化が可能なように大きさ調整（たとえば、４ミリ秒または８ミリ秒バースト）され得る。ｅＮｏｄｅＢがバースト送信９０２を実行した後、ｅＮｏｄｅＢは、第２のプリコーディングにサイクルするために、送信を一時休止する。一時休止は、例えば、４ミリ秒バーストに対しては持続時間１ミリ秒、または８ミリ秒バーストに対しては持続時間４ミリ秒であり得る。一時休止持続時間が経過後、ｅＮｏｄｅＢは、第２のプリコーディングを使用して、バースト送信９０４を実行する。異なるプリコーディングを使用して、バーストをＭＴＣデバイスに送信することによって、ｅＮｏｄｅＢは、制限された通信リソースを持ったデバイスに対する空間的ダイバーシティを実現できる。
【００５６】
[0068]  プリコーディングサイクリングは、少なくとも２個のアンテナポートの、少なくとも２つのビーム方向へのマッピングの使用を、必然的に伴い得る。少なくとも２つのビーム方向は、直交し得る。異なる周波数トーンは、異なるビーム方向にマップされ得る。例えば、奇数のトーンは、第１のアンテナポートにマップされ（第１のビーム方向にマップされ）、偶数のトーンは、第２のアンテナポートにマップされ（第２のビーム方向にマップされ）得る。
【００５７】
[0069]  いくつかのケースにおいて、周波数トーンのビーム方向へのマッピングは、異なるチャネルについて、異なって実行され得る。例えば、ｅＰＤＣＣＨについて、異なるビーム方向へ周波数トーンをマッピングすることは、ｅＲＥＧ（拡張されたリソースエレメントグループ）レベルで実行され得る。ＰＤＳＣＨについて、異なるビーム方向へ周波数トーンをマッピングすることは、リソースエレメントレベルで実行され得る。いくつかのケースにおいて、プリコーディング行列は、知られ得る。ＵＥがプリコーディングに気づいている場合、ＵＥは、ＣＲＳから、およびＤＭＲＳからのチャネル推定を、共同して処理できる。
【００５８】
[0070]  図１０および１１は、本開示の態様にしたがった、リソースエレメント毎のベースでのＰＤＳＣＨプリコーダサイクリングのための、例となるスキームを例証する。図１０において例証されるように、第１および第２のアンテナポートの両方について、ＤＭＲＳパイロットは、同一トーン（たとえば、指し示されるように１、６および１１）上で送信され得る。図１１は、リソースエレメント毎のベースでのＰＤＳＣＨプリコーダサイクリングのための、別のスキームを例証し、そこにおいて、ＤＭＲＳパイロットは、第１のアンテナポートについて、リソースエレメントの第１のセット（たとえば、指し示されるように１、６および１１）上で、および、第２のアンテナポートについて、リソースエレメントの第２のセット（たとえば、指し示されるように０、５および１０）上で送信され得る。両方のスキームにおいて、データトーンは、残存リソースエレメントで送信され得る。
【００５９】
[0071]  ある態様において、ＰＤＳＣＨ上での送信ダイバーシティは、ＤＭＲＳ（復調基準信号）ベースの復調を持ったプリコーディングサイクリングを使用して実現され得る。８のＨＡＲＱバンドルサイズに基づいて、バンドルバースト（bundle burst）は、無線周波数再調節のための１個のサブフレームのギャップを持った、７個のサブフレームのバースト長を有し得る。再調節に１ミリ秒未満（たとえば、０．５ミリ秒の再調節時間、または１スロットの長さ）が必要な場合、バンドルバーストは、７−８個間のデータサブフレーム長、および再調節のための１個のサブフレーム未満（たとえば、７．５個のサブフレーム、および再調節のための０．５個のサブフレームギャップ）を有し得る。８個のサブフレームの倍数のような、より大きなバンドルサイズがまた、使用され得、これは、多数の局の多重化を可能にし得る。
【００６０】
[0072]  ２の受信機ダイバーシティを有し得るＰＵＳＣＨ上での送信は、ＰＤＳＣＨ上で使用されるバンドリング技法（たとえば、約７個のサブフレーム（たとえば、７個または７．５個のサブフレーム）のバンドルバースト長およびＲＦ再調節のための約１個のサブフレーム（たとえば、０．５個または１個のサブフレーム）のバンドルギャップを持った、８個のサブフレームの倍数のバンドルサイズ）に従って実行され得る。追加的に、ｅＰＤＣＣＨおよびＰＲＡＣＨについて、周波数ホッピングは実装の必要はない。上記で論述されたように、ｅＰＤＣＣＨについて、送信は制限されたサイズであり得、送信ダイバーシティは、ＤＭＲＳベース復調を持ったプリコーディングサイクリングを使用することにより受信され得る。２の受信機ダイバーシティおよび小さいペイロードサイズを有し得るＰＲＡＣＨについて、長いバンドリングは必要ないであろう。
【００６１】
[0073]  図１２は、（たとえば、異なるバンドルサイズを持った）多数のデバイスからの多重送信の例を例証する。例証されるように、ＭＴＣ１は、合計３２個のバンドルサイズ（４個のバースト）を有し得、ＭＴＣ２およびＭＴＣ３は、両方とも１６個のバンドルサイズ（２個のバースト）を有し得る。ＭＴＣ２およびＭＴＣ３からの送信は、ＭＴＣ１と、容易に多重化され得、送信が実行される周波数は、バースト間のバンドルギャップの間中でスイッチし得る。例えば、バースト１２０２および１２０４の間中、ＭＴＣ１およびＭＴＣ２からの送信は、多重化され得、ＭＴＣ１およびＭＴＣ２は、バースト１２０２および１２０４において、交互周波数帯域上で送信し得る。バースト１２０６および１２０８の間中、ＭＴＣ１およびＭＴＣ３からの送信は、多重化され得る。バースト１２０２および１２０４でのように、ＭＴＣ１およびＭＴＣ３からの送信は、各バーストにおいて、交互周波数帯域上で送信し得る。送信の多重化は、８の倍数のバンドリングサイズに基づいて、ＭＴＣデバイスおよび非ＭＴＣデバイス（たとえば、狭帯域ＭＴＣデバイスよりも、より大きい帯域幅を使用するデバイス）間で実行され得る。
【００６２】
[0074]  いくつかのケースにおいて、（たとえば、ＭＴＣデバイスにおいて単一局部発振器を使用して）、再調節は、１ミリ秒以内で成し遂げられ得る。再調節が、１ミリ秒以内で成し遂げられ得るので、上記で論述されたように、結果としてのバンドル長は、例えば、０．５ミリ秒の調節時間を持った、７．５個のサブフレームであり得る。さらに、ＬＴＥリリース１２において、調節時間は、ダウンリンクおよびアップリンク送信間で、１ミリ秒に緩和され得、１ミリ秒ギャップは、異なる帯域幅領域間の移行のための最小バンドリングギャップと考えられ得る。
【００６３】
[0075]  いくつかのケースにおいて、バンドリングされた送信は、１ミリ秒ギャップを持って、連続的に実行され得る。しかしながら、時間ダイバーシティを増加することを可能とするために、バンドルは、８個のサブフレームのバースト長、および、より大きなバーストギャップ（たとえば、４ミリ秒、８ミリ秒、１６ミリ秒、等）で、送信され得る。ＭＴＣデバイスは、バーストギャップ間中において、１つの周波数から別の周波数に調節し得る。より大きなバーストサイズおよびバーストギャップは、デバイスについて、結果として、より長い覚醒（awake）時間となり得る。覚醒時間間での不連続の受信は、電力消費を低減し得るが、覚醒からスリープ状態への移行を取り扱うための追加的処理を必然的に伴う。
【００６４】
[0076]  バンドルバースト長は、８の４のデフォルトサイズを有し得、そのバンドルバースト長は、チャネル平均化を実行するために十分なサブフレームの数を提供する。いくつかの態様において、バンドルバースト長は、合計バンドル長の関数（たとえば、合計バンドル長、対送信されるバーストの数）であり得る。例えば、４個のサブフレームから成るデフォルトバンドルバースト長で、１６個のサブフレームがバンドルされる場合、１６個のサブフレームは、４個のサブフレームから成る、４個のバンドルバーストにバンドルされ得る。別の例において、６４個のサブフレームがバンドルされる場合、６４個のサブフレームは、１６個のサブフレームから成る、４個のバンドルバーストにバンドルされ得る。いくつかのケースにおいて、バンドルギャップもまた、バンドルバースト長の数およびサイズを決定する際、考慮される。例えば、４のバンドルバースト長で、合計１６個のサブフレームがバンドルされる場合、バンドルは、１個のサブフレームから成るギャップをプラスした、３個のサブフレームから成る４個のバーストで送信され得る。
【００６５】
[0077]  時分割複信において、異なるアップリンク／ダウンリンクサブフレーム構成が、Ｄ個の（ダウンリンク）、Ｕ個の（アップリンク）、およびＳ個の（特殊）サブフレームから成る構成に従い得る。バンドルバースト長およびバーストギャップのサイズは、Ｄ個およびＵ個のサブフレーム（たとえば、連続するＤ個またはＵ個のサブフレーム）の構成に依存し得る。いくつかの態様において、（Ｓ個のサブフレームが、ダウンリンク部分およびアップリンク部分を有するので）、Ｓ個のサブフレームは、バンドルの一部として含まれ得る。例えば、「ＤＳＵＵＤＤＳＵＵＤ」のサブフレーム構成を提供するＴＤＤ構成１において、ダウンリンクバンドルバーストは、３個のサブフレームのバーストギャップを持った、２個のサブフレーム（連続するＤ個のサブフレーム）から成るサイズを有し得る。Ｓ個の  サブフレームが、バンドルに含まれる場合、ダウンリンクバンドルバーストは、２個のサブフレームから成るバーストギャップを持った、３個の連続するサブフレーム（ＤＤＳ）から成るサイズを有し得る。アップリンク上で、同様のバンドルバースト長およびバーストギャップ長が実装され得る。ＦＤＤまたはＴＤＤを使用するにせよ、バンドリングをするとき、他の局によって送信されたＳＲＳとの干渉を回避するために、サウンディング基準信号（ＳＲＳ）の周囲で、レートマッチングが実行され得る。
【００６６】
[0078]  本明細書で使用される場合、項目のリスト「の内の少なくとも１つ」を指すフレーズは、単一のメンバを含む、それらの項目の任意の組み合わせを指す。例として、「ａ、ｂ、またはｃの内の少なくとも１つ」は、ａ、ｂ、ｃ、ａ−ｂ、ａ−ｃ、ｂ−ｃ、およびａ−ｂ−ｃをカバーするように意図される。
【００６７】
[0079]  本明細書における開示に関連して説明された方法またはアルゴリズムのステップは、直接ハードウェア中で、プロセッサによって実行されるソフトウェア／ファームウェアモジュール中で、または２つの組み合わせで具現化され得る。ソフトウェア／ファームウェアは、ＲＡＭメモリ、フラッシュメモリ、ＲＯＭメモリ、ＥＰＲＯＭメモリ、ＥＥＰＲＯＭ（登録商標）メモリ、ＰＣＭ（位相変更メモリ）、レジスタ、ハードディスク、リムーバブルディスク、ＣＤ−ＲＯＭ、または当該技術分野において既知の他の任意の形態の記憶媒体に存在し得る。例示的な記憶媒体は、プロセッサが記憶媒体から情報を読み取り、および／または記憶媒体に情報を書き込むことができるように、プロセッサに結合される。代替において、記憶媒体はプロセッサに一体化され得る。プロセッサおよび記憶媒体は、ＡＳＩＣ中に存在し得る。ＡＳＩＣは、ユーザ端末中に存在し得る。代替において、プロセッサおよび記憶媒体は、ユーザ端末中にディスクリートコンポーネントとして存在し得る。一般的に、動作が図中に例証されている場合、それらの動作は、同様の参照番号を付した、対応する対照のミーンズプラスファンクションコンポーネントを有し得る。
【００６８】
[0080]  １つ以上の例示的な設計において、説明された機能は、ハードウェア、ソフトウェア／ファームウェア、またはそれらの組み合わせで実装され得る。ソフトウェア／ファームウェア内で実装される場合、機能は、コンピュータ可読媒体上の１つ以上の命令またはコードとして記憶または送信され得る。コンピュータ可読媒体は、コンピュータ記憶媒体と、１つの場所から別の場所へのコンピュータプログラムの転送を容易にする任意の媒体を含む通信媒体の両方を含む。記憶媒体は、汎用コンピュータまたは特殊目的コンピュータによってアクセスできる任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光学ディスク記憶装置、磁気ディスク記憶装置または他の磁気記憶デバイス、あるいは命令またはデータ構造の形態で所望のプログラムコード手段を搬送または記憶するために使用され得る、および汎用または専用コンピュータ、あるいは汎用または専用プロセッサによってアクセスされ得るあらゆる他の媒体を備えることができる。また、任意の接続は、適切にコンピュータ可読媒体と称される。例えば、ソフトウェア／ファームウェアが、ウェブサイト、サーバ、または他の遠隔ソースから、同軸ケーブル、光ファイバーケーブル、ツイストペア、デジタル加入者線（ＤＳＬ）、または赤外線、無線、およびマイクロ波のようなワイヤレス技術を使用して送信される場合、同軸ケーブル、光ファイバーケーブル、ツイストペア、ＤＳＬ、または赤外線、無線およびマイクロ波のようなワイヤレス技術は、媒体の定義の中に含まれる。本明細書で使用されるようなディスク（diskおよびdisc）は、コンパクトディスク（ＣＤ）、レーザディスク（登録商標）、光ディスク、デジタルバーサタイルディスク（ＤＶＤ）、フロッピー（登録商標）ディスク、およびブルーレイ（登録商標）ディスクを含み、本明細書でディスク（disk）は大抵、データを磁気的に再生する一方で、ディスク（disc）はデータをレーザを用いて光学的に再生する。上記の組み合わせはまた、コンピュータ可読媒体の範囲内に含まれるべきである。
【００６９】
[0081]  本開示の先の説明は、当業者が本開示を製造または使用することを可能にするために提供される。本開示に対する様々な修正は、当業者に容易に明らかであり、本明細書において定義されている包括的な原理は、本開示の精神または範囲から逸脱せずに、他のバリエーションに適用され得る。よって、本開示は、本明細書において説明された例および設計に限定されるように意図されておらず、本明細書で開示された原理および新規の特徴と一致する最も幅広い範囲が与えられるべきである。
以下に、本願出願の当初の特許請求の範囲に記載された発明を付記する。
［１］  制限された通信リソースを持った、デバイスへのバンドリングされた送信としてデータを送信することと、前記バンドリングされた送信は、多数のバーストを備え、ここにおいて、各バーストは、複数の送信時間期間（ＴＴＩ）に拡がり、同一のデータが各バースト中で送信され、
前記バンドリングされた送信について、空間的ダイバーシティ、時間ダイバーシティ、または周波数ダイバーシティの内の少なくとも１つを増加することとを備える、ワイヤレス通信のための方法。
［２］  各バーストは、６個のリソースブロック（ＲＢ）を超えない狭帯域中で送信される、［１］に記載の方法。
［３］  前記周波数ダイバーシティを増加することは、連続するバーストが異なる周波数リソースを使用して送信されるように、周波数ホッピングを実行することを備える、［１］に記載の方法。
［４］  異なるデバイスに、バンドリングされた送信として、データを送信するとき、周波数ホッピングを実行するために、異なる周波数ホッピングパターンが使用される、［３］に記載の方法。
［５］  前記周波数ホッピングを実行するために使用される周波数ホッピングパターンは、送信デバイスの識別子に少なくとも部分的に決定される、［３］に記載の方法。
［６］  バースト間のギャップは、前記デバイスによって周波数再調節されるに十分な時間に基づいて決定される、［３］に記載の方法。
［７］  前記空間的ダイバーシティを増加することは、連続するバーストが異なるプリコーディングを使用して送信されるように、プリコーディングサイクリングを適用することを備える、［１］に記載の方法。
［８］  同一のプリコーディングが、バースト内で使用される、［７］に記載の方法。
［９］  プリコーディングサイクリングのタイプは、バンドリングされた送信において送信されるチャネルのタイプに、少なくとも部分的に依存する、［７］に記載の方法。
［１０］  物理ダウンリンク共有チャネル（ＰＤＳＣＨ）について、前記プリコーディングサイクリングは、少なくとも２つのアンテナポートの、少なくとも２つのビーム方向へのマッピングを利用する、［９］に記載の方法。
［１１］  バースト長、または前記増加する時間ダイバーシティの内の１つは、バースト間の少なくとも１つのＴＴＩのギャップを維持することに、少なくとも部分的に基づいている、［１］に記載の方法。
［１２］  バースト長、またはバースト間のギャップの持続時間の内の１つは、アップリンク／ダウンリンクサブフレーム構成に依存する、［１］に記載の方法。
［１３］  前記バースト長、または前記バースト間の前記ギャップの前記持続時間の内の１つは、同一タイプの連続するサブフレームの数に依存する、［１２］に記載の方法。
［１４］  前記デバイスへの前記バンドリングされた送信は、第２のデバイスへのバンドリングされた送信として送信されるデータと多重化され、ここにおいて、前記デバイスへのバンドリングされた送信のために使用されるバンドルサイズは、前記第２のデバイスへの前記バンドリングされた送信のために使用される第２のバンドルサイズと異なる、［１］に記載の方法。
［１５］  制限された通信リソースを持った、デバイスへのバンドリングされた送信としてデータを送信するように構成された送信機と、前記バンドリングされた送信は、多数のバーストを備え、ここにおいて、各バーストは、複数の送信時間期間（ＴＴＩ）に拡がり、同一のデータが各バースト中で送信され、
前記バンドリングされた送信について、空間的ダイバーシティ、時間ダイバーシティ、または周波数ダイバーシティの内の少なくとも１つを増加するための動作を行うように構成された、少なくとも１つのプロセッサとを備える、ワイヤレス通信のための装置。
［１６］  制限された通信リソースを持った、デバイスによるワイヤレス通信のための方法であって、
バンドリングされた送信について、空間的ダイバーシティ、時間ダイバーシティ、または周波数ダイバーシティの内の少なくとも１つを増加するための構成情報を受信することと、前記バンドリングされた送信は、多数のバーストを備え、ここにおいて、同一のデータが各バースト中で送信され、
前記構成情報に従って、前記バンドリングされた送信を受信することおよび処理することとを備える、方法。
［１７］  各バーストは、６個のリソースブロック（ＲＢ）を超えない狭帯域中で受信される、［１６］に記載の方法。
［１８］  前記周波数ダイバーシティを増加するための構成情報は、連続するバーストが異なる周波数リソースを使用して受信されるように、周波数ホッピングが使用されることを示す情報を備える、［１６］に記載の方法。
［１９］  異なるデバイスから、バンドリングされた送信として、データが受信されるとき、異なる周波数ホッピングパターンが使用される、［１８］に記載の方法。
［２０］  前記構成情報は、送信機の識別子に少なくとも部分的に基づいて決定される、周波数ホッピングパターンを備える、［１８］に記載の方法。
［２１］  バースト間のギャップは、制限された通信リソースを持った、前記デバイスによって、周波数再調節するのに十分な時間に基づく、［１８］に記載の方法。
［２２］  空間的ダイバーシティを増加するための前記構成情報は、連続するバーストが異なるプリコーディングで受信されることを示す情報を備える、［１６］に記載の方法。
［２３］  同一のプリコーディングが、バースト内で使用される、［２２］に記載の方法。
［２４］  プリコーディングサイクリングのタイプは、前記バンドリングされた送信において受信される、チャネルのタイプに、少なくとも部分的に依存する、［２２］に記載の方法。
［２５］  物理ダウンリンク共有チャネル（ＰＤＳＣＨ）について、前記プリコーディングサイクリングは、少なくとも２つのアンテナポートの、少なくとも２つのビーム方向へのマッピングを利用する、［２４］に記載の方法。
［２６］  バースト長、または時間ダイバーシティを増加するための前記構成情報の内の少なくとも１つは、バースト間の少なくとも１つの送信時間期間（ＴＴＩ）のギャップを示す情報を備える、［１６］に記載の方法。
［２７］  バースト長、またはバースト間のギャップの継続期間の内の少なくとも１つは、アップリンク／ダウンリンクサブフレーム構成に依存する、［１６］に記載の方法。
［２８］  前記バースト長、またはバースト間の前記ギャップの前記継続期間の内の少なくとも１つは、同一タイプの連続するサブフレームの数に依存する、［２７］に記載の方法。
［２９］  制限された通信リソースを持った、デバイスによるワイヤレス通信のための装置であって、
バンドリングされた送信について、空間的ダイバーシティ、時間ダイバーシティ、または周波数ダイバーシティの内の少なくとも１つを増加するための構成情報を受信し、前記バンドリングされた送信は、多数のバーストを備え、ここにおいて、同一のデータが各バースト中で送信され、および、前記バンドリングされた送信を受信するように構成された受信機と、
前記構成情報に従って、前記バンドリングされた送信を処理するように構成された、少なくとも１つのプロセッサとを備える、装置。
【図１】
0006651532.tif 000002
【図２】
0006651532.tif 000003
【図３】
0006651532.tif 000004
【図４】
0006651532.tif 000005
【図５】
0006651532.tif 000006
【図６】
0006651532.tif 000007
【図７】
0006651532.tif 000008
【図８】
0006651532.tif 000009
【図９】
0006651532.tif 000010
【図１０】
0006651532.tif 000011
【図１１】
0006651532.tif 000012
【図１２】
0006651532.tif 000013